(57)【要約】【課題】蓋側ケースに設けられるカバーを破損しにくくすること。また、電動工具収納ケースに衝撃などが加わった際に、カバーの内部に収納される先端工具などがカバーの外へと出てしまうことを少なくすること。【解決手段】  前記第２の外面には収納部が設けられており、該収納部を覆うカバーが設けられており、前記カバーは、前記第２の外面に第１の棒状部材により回動可能に支持されており、前記カバーは、前記第２の外面に固定可能であり、前記カバーは、前記第２の外面に固定された状態から、２つの動作により回動可能な状態にされることを特徴とする電動工具収納ケース。【選択図】  図１
2010064227.tif 000002
【特許請求の範囲】
【請求項１】
電動工具収納部と充電器収納部とを有する第１の内面と、第１の外面とを有する収納側ケースと、
該収納側ケースに対して回動可能に設けられ、電動工具と充電器とを収納した状態で前記収納側ケースに固定可能な蓋側ケースと、を有し、
前記蓋側ケースは、第２の内面と、第２の外面を有しており、
前記第１の内面と、前記第２の内面とにより、電動工具及び充電器を収納可能な電動工具収納ケースであって、
前記第２の外面には収納部が設けられており、該収納部を覆うカバーが設けられており、
前記カバーは、前記第２の外面に棒状部材により回動可能に支持されており、
前記カバーは、前記第２の外面に固定可能であり、
前記カバーは、前記第２の外面に固定された状態から、２つの動作により回動可能な状態にされることを特徴とする電動工具収納ケース。
【請求項２】
前記カバーは、前記第２の外面に固定手段により固定可能であることを特徴とする請求項１記載の電動工具収納ケース。
【請求項３】
前記蓋側ケースは、前記収納側ケースに対して第２の棒状部材により回動可能に前記収納側ケースに支持されており、
第２の棒状部材は、前記収納側ケースの一端に設けられており、
前記収納ケースの他端には、作業者が把持可能であって前記収納ケースに対して回動可能なコの字状の把持部が設けられており、
前記固定手段は、前記把持部と前記第２の外面との間であって前記第２の外面から突出しないように設けられていることを特徴とする請求項２記載の電動工具収納ケース。
【請求項４】
電動工具を収納可能な電動工具収納部を有する収納側ケースと、
該収納側ケースの上方に回動可能に設けられる第１の蓋と、
該第１の蓋に回動可能に連結部により連結される第２の蓋と、を有する電動工具収納ケースであって、
前記第１の蓋と、前記第２の蓋とを回動不能に固定する第１のロック部材を有しており、
前記第１のロック部材は、前記第１の蓋及び前記第２の蓋に対して移動可能であり、
前記第１のロック部材は、前記第１の蓋と前記第２の蓋とを回動不能に固定するロック位置と、前記第１の蓋が前記第２の蓋に対して回動可能なロック解除位置とに位置できることを特徴とする電動工具収納ケース。
【請求項５】
前記第１の蓋と、前記収納側ケースとを回動不能にロックする第２のロック部材を２つ有しており、
前記第１のロック部材は、前記第２のロック部材の間に設けられていることを特徴とする請求項４記載の電動工具収納ケース。
【請求項６】
前記第１の蓋の反前記連結部側には、作業者が把持可能なハンドルが設けられており、
前記ハンドルと前記第１の蓋の間には、凹部が設けられており、
第１のロック部材は、該凹部に設けられていることを特徴とする請求項４又は請求項５に記載の電動工具収納ケース。
【請求項７】
前記連結部は、第２の蓋に設けられた棒状部材と、
前記第１の蓋に設けられ、前記棒状部材を回動可能に支持する凹部を有し、
前記凹部は、下方に開口していることを特徴とする請求項４から請求項６のいずれか１項記載の電動工具収納ケース。
【請求項８】
前記第１のロック部材は、前記第２の蓋に設けられた突起と係合可能な係合部材と、前記係合部材を下方へと付勢する付勢手段とを有し、
前記係合部を前記突起に係合した状態で下方へと移動させると、前記係合部が前記第２の蓋を前記第１の蓋へと付勢することを特徴とする請求項５から請求項７のいずれか１項記載の電動工具収納ケース。
【発明の詳細な説明】
【技術分野】
【０００１】
本発明は、電動工具及び電動工具において用いる蓄電池を充電可能な充電器を収納可能な電動工具収納ケースに関する。特に、電動工具収納ケースの外面に収納部が設けられており、その収納部を覆うことができるカバーを有する電動工具収納ケースに関する。
【背景技術】
【０００２】
従来の電動工具収納ケースとして、図７に示すものがあった。
【０００３】
電動工具収納ケースは、図示しない電動工具及び充電器を収納する収納側ケース１０１と、収納側ケース１０１に対して回動可能にピン１０３により保持される蓋側ケース１０２とを有している。蓋側ケース１０２は、電動工具及び充電器を収納した状態で収納側ケース１０１に固定可能な固定ラッチを有していた。蓋側ケース１０２には、蓋側ケース１０２から一体的に延びる樹脂製のカバー１０６が設けられていた。樹脂製のカバー１０６は、蓋側ケース１０２に対して矢印の方向へと回動可能であった。樹脂製のカバー１０６で覆われる部分には、先端工具１０７などが収納可能になっていた。蓋側カバー１０６は、樹脂の弾性力により、収納部を覆った状態で固定されていた。電動工具収納ケースに関しては、例えば特許文献１に開示されている。
【０００４】
【特許文献１】特開２００５−０２８４６３
【発明の開示】
【発明が解決しようとする課題】
【０００５】
従来の電動工具収納ケースでは、樹脂製のカバーの不安定さがあった。樹脂製のカバーは、蓋側ケースから一体的に延びており、樹脂製のカバー自身の弾性変形により回動していた。このため、樹脂製のカバーの回動部が変形により破損してしまうことがあった。このため、樹脂製のカバーがその機能を果たせなくなることがあった。また、樹脂製のカバーが弾性変形することにより、収納部を覆った状態で蓋側カバーに固定されていたが、電動工具収納ケースに衝撃が加わった際などに、不意に樹脂製のカバーと蓋側カバーとの固定が外れてしまう場合があった。このような場合には、内部に収納していた先端工具などが電動工具収納ケースから外へと出てしまい、先端工具などを集める必要があるために、作業者に面倒な作業を強いることとなっていた。
【０００６】
本発明の目的は、蓋側ケースに設けられるカバーを破損しにくくすることである。また、電動工具収納ケースに衝撃などが加わった際に、カバーの内部に収納される先端工具などがカバーの外へと出てしまうことを少なくすることである。
【課題を解決するための手段】
【０００７】
上記の目的は、電動工具収納部と充電器収納部とを有する第１の内面と、第１の外面とを有する収納側ケースと、該収納側ケースに対して回動可能に設けられ、電動工具と充電器とを収納した状態で前記収納側ケースに固定可能な蓋側ケースと、を有し、前記蓋側ケースは、第２の内面と、第２の外面を有しており、前記第１の内面と、前記第２の内面とにより、電動工具及び充電器を収納可能な電動工具収納ケースであって、前記第２の外面には収納部が設けられており、該収納部を覆うカバーが設けられており、前記カバーは、前記第２の外面に第１の棒状部材により回動可能に支持されており、前記カバーは、前記第２の外面に固定可能であり、前記カバーは、前記第２の外面に固定された状態から、２つの動作により回動可能な状態にされることにより、達成することができる。
【発明の効果】
【０００８】
本発明により、カバーを蓋側ケースに棒状部材により回動可能としたためにカバーが破損しにくくなる。また、２つの動作により、カバーは、蓋側ケースに固定された状態から回動可能な状態になるので、電動工具収納ケースに衝撃が加わった際にも、カバーの内部に収納される先端工具などがカバーの外へと出てしまうことを少なくすることができる。
【発明を実施するための最良の形態】
【０００９】
図１に本発明の一実施形態を示す電動工具収納ケースの斜視図を示す。なお、図中では、上下、左右、前後を、図中に示す方向をさすものと定義する。
【００１０】
電動工具収納ケースは、収納側ケース１と、収納側ケース１に第１の棒状体３を回動中心に回動する蓋側ケース２とを有する。収納側ケース１は、蓋側ケース２の下方に設けられている。収納側ケース１には、作業者が持ち運びの際に把持する把持部４が収納側ケース１に対して回動可能に設けられている。なお、蓋側ケース２は、第１の蓋とも称する。
【００１１】
収納側ケース１と蓋側ケース２とは、左右に２つ設けられた固定ラッチ５により回動不能に固定することができるようになっている。
【００１２】
蓋側ケース２には、回動可能なカバー６が設けられている。このカバー６は、樹脂製であっても、金属製であっても良い。蓋側ケース２とカバー６とは、固定ラッチ８により回動不能に固定することができるようになっている。このように、蓋側ケース２は、カバー６の下方に設けられている。なお、カバー６は、第２の蓋とも称する。
【００１３】
なお、固定ラッチ５は、２つの部材により構成されている。すなわち、係合部材５Ａと、付勢部材５Ｂとである。係合部材５Ａは、後述する蓋側ケース２の突起２Ｅと係合可能になっている。係合部材５Ａは、付勢部材５Ｂにより、下方へと付勢されるようになっている。このように、係合部材５Ａが付勢部材５Ｂにより付勢されることにより、固定ラッチ５が強固に収納側ケース１と蓋側ケース２とを固定することができるようになっている。このように、係合と付勢の２つの動作により、固定することができるようになっている。
【００１４】
また、固定ラッチ８は、２つの部材により構成されている。すなわち、係合部材８Ａと、付勢部材９Ｂとである。係合部材９Ａは、後述するカバー６の突起６Ａと係合可能になっている。係合部材８Ａは、付勢部材８Ｂにより、下方へと付勢されるようになっている。このように、係合部材８Ａが付勢部材８Ｂにより付勢されることにより、固定ラッチ８が強固に蓋側ケース２とカバー６とを固定することができるようになっている。このように、係合と付勢の２つの動作により、固定することができるようになっている。
【００１５】
図２（Ａ）に電動工具収納ケースの平面図を、図２（Ｂ）に電動工具収納ケースの正面図を、図２（Ｃ）に電動工具収納ケースの左側面図を示す。
【００１６】
図２（Ｂ）を参照し、収納側ケース１の前方の構造について説明する。収納側ケース１の前方には、把持部４を回動可能に支持する２つの左右に設けられた突出部１Ａを有する。突出部１Ａは、基面１Ｃよりも前方へと突出している。凹部１Ｄは、基面１Ｃよりも後方へと凹んだ位置に設けられている。
【００１７】
作業者の手で把持部４を掴む場合に、作業者の手は把持部４の内周面と基部１Ｃとの間に位置する。
【００１８】
なお固定ラッチ５は、突出部１Ａよりも凹んだ部分に設けられている。
【００１９】
図２（Ｃ）を参照し、電動工具収納ケースの後方の構造について説明する。収納側ケース１の後方には第１の接地部１Ｂが設けられており、蓋側ケース２の後方には第２の接地部２Ｆが設けられている。第１の接地部１Ｂと第２の接地部２Ｆとは、第１の棒状部材３により回動可能となっている。また、カバー６の外面６Ｙが示されている。
【００２０】
図３に、蓋側ケース２を収納側ケース１に対して回動した状態を示す。なお、収納側ケース１の内面１Ｘに同図中では示しており、外面１Ｙは、図示されない。また、収納側ケース１の内面２Ｘと重なる部分が蓋側ケースの内面であり、同図中には、外面２Ｙは図示されない。
【００２１】
蓋側ケース２と収納側ケース１との接続している部分には、第１の棒状部材３が示されている。
【００２２】
収納側ケース１には、その内部に電動インパクトドライバを例とした電動工具５０、電動工具５０に電力を供給する蓄電池５１、蓄電池５１を充電する充電器５２を収納可能である。なお、収納した状態で、電動工具５０などが内部で移動しないように収納壁１Ｅ１、１Ｅ２、１Ｅ３が設けられている。
【００２３】
図３中には、前述した基部１Ｃ、凹部１Ｄ、突出部１Ａが示されている。
【００２４】
蓋側ケース２には、カバー６に設けられる第２の棒状部材６Ｂを回動可能に支持する支持部２Ｃが設けられている。
【００２５】
図４に、カバー６を回動した状態を示す。第２の固定ラッチ８は、カバー６の突出部６Ａと結合可能であり、結合することによりカバー６を蓋側カバー２に対して回動不能に固定する。なお、第２の固定ラッチ８は、２つの動作によりカバー６を蓋側カバー２に対して回動不能に固定する。第２の固定ラッチ８は、基部１Ａよりも突出しないように設けられている。
【００２６】
蓋側ケース２Ｂの外面２Ｙには、先端工具などを収容可能な収容部２Ｂが設けられている。これらの収容部２Ｂは、複数有り区画されている。
【００２７】
図５に、カバー６の斜視図を示す。カバーの内面６Ｘには、リブ６Ｃが交わるように複数設けられており、カバー６の強度を高めるようにしている。カバー６には、第２の棒状体６Ｂが設けられている。カバー６は、この棒状体６Ｂにより蓋側カバー２に対して回動可能となっている。
【００２８】
図６に蓋側カバー２の第１の固定ラッチ５及び第２の固定ラッチ８を取外し、カバー６を取外した状態を示す。上方には第２の固定ラッチ８を回動可能に支持する突起部２Ｄが設けられている。また、上方には第１の固定ラッチ５と係合可能な突起部２Ｅが２つ設けられている。下部には第２の棒状体６Ｂを回動可能に支持する支持部２Ｃが設けられている。支持部２Ｃは、凹部を有しており、この凹部は、下方へと開口している。この開口している部分に、第２の棒状体６Ｂが嵌め合うようになっており、カバー６は、蓋側ケースに対して回動可能となる。
【００２９】
以上のように電動工具収納ケースを構成したために、カバー６が第２の棒状体６Ｂを介して蓋側ケース２に回動するので、カバー６の回動する部分が破損することが少なくなる。
【００３０】
また、固定ラッチ８により２つの動作を行うことにより、カバー６が蓋側ケース２に固定された状態から固定を解除されるので、電動工具収納ケースに不意に衝撃が加わった際などに、カバー６が蓋側ケース２から外れることが少なくなり、収納部２Ｂに収納された先端工具などが外へと出ることが少なくなる。
【００３１】
また、第２の固定ラッチ８が、基部１Ｃよりも突出しない位置に設けられているので、作業者が把持部４を把持する際に手の邪魔になることが少なくなるようになっている。また、第２の固定ラッチ８が、基部１Ｃよりも突出しないので、物などに当たった際にも、第２の固定ラッチが破損することが少なくなる。
【００３２】
また、第１の蓋と第２の蓋とが離れることを防ぐロック部材を設けたので、第１の蓋を収納側ケースに対して回動し、先端工具などの重みが第２の蓋に掛かっても第２の蓋が第１の蓋に対して回動することを防ぐことができる。
【００３３】
また、ハンドルと第１の蓋との間であって、ハンドルの内部に凹部を設け、凹部に第１の蓋と第２の蓋とをロックするロック部材を設けたので、作業者がハンドルを持つ際に、ロック部材が邪魔になることがない。また、ハンドルを持つ際に、ロック部材を間違って操作することもない。
【００３４】
また、第２の蓋に棒状部材を設けて、棒状部材と係合する凹部を第１の蓋に設け、凹部は下方へと開口するので、少ない部品点数により第１の蓋と第２の蓋とを連結することができる。また、ロック部材により、第２の蓋が第１の蓋側へと移動される場合にも、第２の蓋が第１の蓋に対して外れることがない。
【００３５】
また、第２の蓋に、ロック部材を設けたので、第２の蓋を回動させた場合であっても、ロック部材が地面などと接触することがなく、ロック部材が破損しにくくなる。
【００３６】
なお、本発明の実施形態の電動工具収納ケースにおいては電動工具、蓄電池、充電器を内部に収容できる構成としたが、これらのいずれかを収納できるものであれば、本発明の効果を奏し得ることができる。
【００３７】
なお、電動工具として、電動インパクトドライバを例に説明したが、電動工具はどのようなものであっても良い。例えば、電動丸鋸、電動ドライバ、電動トリマ、電動ハンマドリルなどであっても、本発明の効果を奏し得ることができる。
【００３８】
なお、第２の蓋に棒状部材を設ける構成としたが、第１の蓋に棒状部材を設ける構成としても良い。
【００３９】
この他にも、本発明の効果を奏し得る限り、様々な変更・応用が可能である。
【図面の簡単な説明】
【００４０】
【図１】本発明の一実施形態を示す電動工具収納ケースの斜視図
【図２】（Ａ）に電動工具収納ケースの平面図  （Ｂ）電動工具収納ケースの正面図  （Ｃ）電動工具収納ケースの左側面図
【図３】蓋側ケースを収納側ケースに対して回動した状態を示す図
【図４】カバーを回動した状態を示す図
【図５】カバーの斜視図
【図６】蓋側カバーの第１の固定ラッチ及び第２の固定ラッチを取外し、カバーを取外した状態を示す図
【図７】従来の電動工具収納ケースを示す図
【符号の説明】
【００４１】
１  収納側ケース、２  蓋側ケース、３  第１の棒状体、４  把持部、５  第１の固定ラッチ、６  カバー、８  第２の固定ラッチ
【図１】
2010064227.tif 000003
【図２】
2010064227.tif 000004
【図３】
2010064227.tif 000005
【図４】
2010064227.tif 000006
【図５】
2010064227.tif 000007
【図６】
2010064227.tif 000008
【図７】
2010064227.tif 000009